(57)【要約】【課題】先端にフィルタを取り付けたシリンジを用いて液体の濾過を行う際に、シリンジとフィルタとの接続部が損傷するのを防止する。【解決手段】シリンジ濾過作業用補助具10は、液体中に混入している異物を、先端に少なくとも１個のフィルタが取り付けられたシリンジ21を用いて濾過する際に用いられ、支持部材11と、支持部材11に設けられたフランジ下面規制部材12及び下側規制部材14とを備えている。フランジ下面規制部材12は、フィルタ22，23が取り付けられたシリンジ21のフランジ21ａの下面と係合してその移動を規制するとともに、シリンジ21の一部が収容される収容溝12ａを有する。下側規制部材14は、シリンジ21に取り付けられたフィルタ22の下面と係合してその移動を規制するとともに、フィルタ22の出口ノズル22ａの一部が収容される収容溝14ａを有する。【選択図】図１
2012055874.tif 000002
【特許請求の範囲】
【請求項１】
液体中に混入している異物を、先端に少なくとも１個のフィルタが取り付けられたシリンジを用いて濾過する際に用いるシリンジ濾過作業用補助具であって、
支持部材と、
前記支持部材に設けられ、前記フィルタが取り付けられたシリンジのフランジの下面と係合してその移動を規制するとともに、前記シリンジの一部が収容される収容溝を有するフランジ下面規制部材と、
前記支持部材に設けられ、前記シリンジに取り付けられた前記フィルタの下面と係合してその移動を規制するとともに、前記フィルタの出口ノズルの一部が収容される収容溝を有する下側規制部材と
を備えているシリンジ濾過作業用補助具。
【請求項２】
前記支持部材には、前記フランジの上面と係合してその移動を規制するとともに、前記シリンジに挿入されているプランジャの一部が収容される収容溝を有するフランジ上面規制部材が設けられている請求項１に記載のシリンジ濾過作業用補助具。
【請求項３】
前記規制部材の少なくとも一つは、位置調整可能に前記支持部材に固定されている請求項１又は請求項２に記載のシリンジ濾過作業用補助具。
【請求項４】
前記フランジ下面規制部材、前記下側規制部材及び前記フランジ上面規制部材のうちの位置調整可能な規制部材は、前記支持部材にその長手方向に沿って延びるように形成されたスリットを貫通するねじを介して前記支持部材に固定されている請求項３に記載のシリンジ濾過作業用補助具。
【請求項５】
前記支持部材は、前記シリンジを支持する状態で自立可能な形状に形成されている請求項１〜請求項４のいずれか１項に記載のシリンジ濾過作業用補助具。
【発明の詳細な説明】
【技術分野】
【０００１】
本発明は、シリンジ濾過作業用補助具に係り、詳しくは試液等の液体中に混入している異物を、先端にフィルタが取り付けられたシリンジを用いて濾過する際に用いるシリンジ濾過作業用補助具に関する。
【背景技術】
【０００２】
各種化学分析の前処理として、試液等の液体中に混入している異物を除去するため、フィルタを通した後にそれらの液体を用いることが行われる。特に少量の試液を扱う場合、市販のシリンジに試液を吸入し、シリンジの先端に市販のフィルタを取り付け、シリンジ内に挿入されるプランジャによりに試液を押し出す方法が用いられる。
【０００３】
多数の試液を扱う場合、この作業を繰り返さなければならず、手数を要すると共に多くの力を必要とする肉体労働とならざるを得ない。さらに、この作業中の加圧によりフィルタが外れる場合もあり、その際には試液のロスに繋がる。
【０００４】
従来、図１１に示すように、フレーム５０内にシリンジ５１、フィルタ５２及び濾液受け容器５３を複数個配置し、プランジャ５４の上部を手動ねじ機構を有する押出し器５５により加圧濾過する装置が提案されている（特許文献１参照）。フレーム５０は、シリンジ５１及び濾液受け容器５３が挿入される開口を有する保持棚５６，５７と、フィルタ５２を支持するフィルタ支持棚５８とを備えている。
【先行技術文献】
【特許文献】
【０００５】
【特許文献１】特開２００７−１６０２０３号公報
【発明の概要】
【発明が解決しようとする課題】
【０００６】
ところが、特許文献１の装置では、フィルタ５２が連結されたシリンジ５１は、フィルタ５２がフィルタ支持棚５８上に載置され、シリンジ５１が保持棚５６の開口に挿入された状態でプランジャ５４がシリンジ５１内に押し込まれることにより、試液がフィルタ５２を通過して濾過される。その際に、フィルタ５２に対してシリンジ５１が真っ直ぐになるよう、プランジャ５４を押し込めば問題はないが、フィルタ５２に対してシリンジ５１が傾いた状態でプランジャ５４を押し込むとシリンジ５１とフィルタ５２との接続部に掛かる応力により、接続部が損傷する虞がある。
【０００７】
本発明は、前記従来の問題に鑑みてなされたものであって、その目的は、先端にフィルタを取り付けたシリンジを用いて液体の濾過を行う際に、シリンジとフィルタとの接続部が損傷するのを防止することができるシリンジ濾過作業用補助具を提供することにある。
【課題を解決するための手段】
【０００８】
前記の目的を達成するため、請求項１に記載の発明は、液体中に混入している異物を、先端に少なくとも１個のフィルタが取り付けられたシリンジを用いて濾過する際に用いるシリンジ濾過作業用補助具である。そして、支持部材と、前記支持部材に設けられ、前記フィルタが取り付けられたシリンジのフランジの下面と係合してその移動を規制するとともに、前記シリンジの一部が収容される収容溝を有するフランジ下面規制部材と、前記支持部材に設けられ、前記シリンジに取り付けられた前記フィルタの下面と係合してその移動を規制するとともに、前記フィルタの出口ノズルの一部が収容される収容溝を有する下側規制部材とを備えている。
【０００９】
ここで、「シリンジのフランジの下面」とは、フランジのプランジャ挿入側と反対側の面を意味する。また、「フィルタの下面」とは、シリンジに取り付けられたフィルタが１個の場合はそのフィルタのシリンジに対応する側の面と反対側の面を意味し、フィルタが複数個の場合はシリンジから最も離れたフィルタのシリンジに対応する側の面と反対側の面を意味する。
【００１０】
シリンジ濾過作業用補助具を使用する際は、先端に少なくとも１個のフィルタが取り付けられ、濾過すべき液体を収容した状態のシリンジは、少なくともシリンジが加圧されるとフランジの下面がフランジ下面規制部材に係合し、かつフィルタの下面が下側規制部材に係合した状態で支持部材に支持される。その状態でプランジャがシリンジ内に押し込まれると、シリンジ内が加圧され、液体は不純物がフィルタで濾過されて濾液が容器に回収される。その際に、フィルタに対してシリンジが傾く方向に力が加わると、接続部が損傷する虞がある。しかし、この発明では、フィルタに対してシリンジが傾く方向に力が加わった場合でも、フランジの下面がフランジ下面規制部材に係合し、フィルタの下面が下側規制部材に係合した状態となるため、シリンジが傾いた状態でフィルタに押し込まれることが防止され、その結果、シリンジとフィルタとの接続部が損傷するのを防止することができる。また、フランジ下面規制部材がシリンジに加わる下向きの力の一部を担うため、シリンジとフィルタとの接続部に加わる応力を抑制することができる。
【００１１】
請求項２に記載の発明は、請求項１に記載の発明において、前記支持部材には、前記フランジの上面と係合してその移動を規制するとともに、前記シリンジに挿入されているプランジャの一部が収容される収容溝を有するフランジ上面規制部材が設けられている。ここで、「シリンジのフランジの上面」とは、フランジのプランジャ挿入側の面を意味する。
【００１２】
プランジャがシリンジ内に押し込まれることにより、液体がフィルタを通過して濾過される際に、フィルタにおける抵抗が大きくなり、シリンジ内及びフィルタ内の圧力が上昇する。フィルタ内の圧力が上昇すると、フィルタに対してはフィルタを押し下げる力が作用し、シリンジに対してはシリンジを押し上げる力が作用する。そのため、圧力上昇が大きいと、シリンジがフィルタから外れる虞がある。しかし、この発明では、フィルタは下面が下側規制部材に係合して下方への移動が規制され、シリンジはフランジの上面がフランジ上面規制部材に係合して上方への移動が規制される。したがって、フィルタ内の圧力が上昇しても、シリンジがフィルタから外れることを防止することができる。
【００１３】
請求項３に記載の発明は、請求項１又は請求項２に記載の発明において、前記規制部材の少なくとも一つは、位置調整可能に前記支持部材に固定されている。シリンジやシリンジに取り付けられるフィルタは１種類ではなく、シリンジやフィルタによっては長さが異なる。そのため、フランジ下面規制部材、下側規制部材及びフランジ上面規制部材がいずれも支持部材に位置調整不能に固定された構成では、長さの異なるシリンジやフィルタに対応して支持部材を準備する必要がある。しかし、この発明では、長さの異なるシリンジやフィルタを使用する場合、あるいは、複数のフィルタの組み合わせを変更する場合等には、フランジ下面規制部材、下側規制部材及びフランジ上面規制部材の少なくとも一つの支持部材に対する固定位置を調整することにより、シリンジやフィルタの種類の変更に対応することができる。
【００１４】
請求項４に記載の発明は、請求項３に記載の発明において、前記フランジ下面規制部材、前記下側規制部材及び前記フランジ上面規制部材のうちの位置調整可能な規制部材は、前記支持部材にその長手方向に沿って延びるように形成されたスリットを貫通するねじを介して前記支持部材に固定されている。この発明では、位置調整可能な規制部材の位置調整は、規制部材を支持部材に固定するためのねじを弛めた状態でスリットに沿って所定位置まで規制部材を移動させた後、その位置でねじを締め付けることにより、無段階で固定位置の調整を簡単に行うことができる。
【００１５】
請求項５に記載の発明は、請求項１〜請求項４のいずれか１項に記載の発明において、前記支持部材は、前記シリンジを支持する状態で自立可能な形状に形成されている。したがって、この発明では、濾過作業を行なう際、作業者はシリンジや支持部材等を支持せずに、プランジャをシリンジに押し込む作業をするだけで、液体中に混入している異物を濾過することができ、支持部材が自立可能でない場合に比べて濾過作業が簡単になる。
【発明の効果】
【００１６】
本発明によれば、先端にフィルタを取り付けたシリンジを用いて液体の濾過を行う際に、シリンジとフィルタとの接続部が損傷するのを防止することができるシリンジ濾過作業用補助具を提供することができる。
【図面の簡単な説明】
【００１７】
【図１】第１の実施形態を示し、（ａ）はシリンジ濾過作業用補助具の斜視図、（ｂ）はシリンジ濾過作業用補助具の背面図、（ｃ）はシリンジ濾過作業用補助具にシリンジを取り付けた状態の側面図、（ｄ）は同じく正面図。
【図２】（ａ）は作用を説明する正面図、（ｂ）はシリンジの下側への移動が規制されない構成の作用を説明する斜視図。
【図３】（ａ）は第２の実施形態のシリンジ濾過作業用補助具の部分斜視図、（ｂ）は部分側面図。
【図４】（ａ）は別の実施形態のシリンジ濾過作業用補助具の部分斜視図、（ｂ）は部分側面図。
【図５】（ａ）は別の実施形態のシリンジ濾過作業用補助具の部分斜視図、（ｂ）は部分側面図。
【図６】（ａ）は別の実施形態のシリンジ濾過作業用補助具の部分斜視図、（ｂ）は部分側面図。
【図７】（ａ）は別の実施形態のシリンジ濾過作業用補助具の部分斜視図、（ｂ）は部分側面図。
【図８】（ａ），（ｂ），（ｃ），（ｄ）はそれぞれ別の実施形態のシリンジ濾過作業用補助具の部分斜視図。
【図９】（ａ）はシリンジ濾過作業用補助具の別の実施形態の側面図、（ｂ）は別の実施形態の収容溝の形状を示す平面図。
【図１０】（ａ），（ｂ）は別の実施形態のシリンジ濾過作業用補助具の側面図。
【図１１】従来技術の加圧濾過装置の使用状態を示す斜視図。
【発明を実施するための形態】
【００１８】
（第１の実施形態）
以下、本発明を具体化した第１の実施形態を図１及び図２にしたがって説明する。
図１（ａ）に示すように、シリンジ濾過作業用補助具１０は、支持部材１１と、支持部材１１にそれぞれ設けられたフランジ下面規制部材１２と、フランジ上面規制部材１３と、下側規制部材１４と、接続部側面規制部材１５とを備えている。図１（ｂ）に示すように、支持部材１１にはその長手方向に沿って延びるようにスリット１６が一対形成されている。フランジ下面規制部材１２、フランジ上面規制部材１３、下側規制部材１４及び接続部側面規制部材１５は、位置調整可能に支持部材１１に固定されている。
【００１９】
各規制部材１２，１４，１５は、側面Ｌ字状に形成されるとともに、支持部材１１に固定される部分が下側に延びる状態で支持部材１１に固定されている。各規制部材１２，１４，１５には支持部材１１に形成された各一対のスリット１６と対向するように一対のねじ孔が形成され、スリット１６を貫通してねじ孔に螺合するねじ１７により支持部材１１に締め付け固定されている。フランジ上面規制部材１３はフランジ下面規制部材１２と一体に形成されている。フランジ上面規制部材１３は、基端が下方へ屈曲形成されるとともに屈曲部の端面がフランジ下面規制部材１２の上面に固着され、フランジ下面規制部材１２との間にシリンジ２１のフランジ２１ａが嵌合可能な間隔を有するように形成されている。
【００２０】
支持部材１１は、シリンジ濾過作業用補助具１０が図１（ｃ），（ｄ）に示すように、先端に２個のフィルタ２２，２３が取り付けられたシリンジ２１を支持する状態で自立可能となるように、下部１１ａが各規制部材１２，１３，１４，１５と平行に延びる状態に形成されている。シリンジ２１には少なくとも１個のフィルタが取り付けられていればよいが、この実施形態では２個のフィルタ２２，２３が取り付けられており、フィルタ２２は固形物濾過用フィルタであり、フィルタ２３は脱脂用フィルタである。
【００２１】
フランジ下面規制部材１２は、フィルタ２２，２３が取り付けられたシリンジ２１のフランジ２１ａの下面と係合してその移動を規制するとともに、シリンジ２１の一部が収容される収容溝１２ａを有する。フランジ上面規制部材１３は、シリンジ２１のフランジ２１ａの上面と係合してその移動を規制するとともに、シリンジ２１に挿入されているプランジャ２４の一部が収容される収容溝１３ａを有する。下側規制部材１４は、シリンジ２１に取り付けられたフィルタ２２の下面と係合してその移動を規制するとともに、フィルタ２２の出口ノズル２２ａの一部が収容される収容溝１４ａを有する。接続部側面規制部材１５は、シリンジ２１に取り付けられたフィルタ２３のシリンジ２１との接続部２３ａの側面と係合してその横方向への移動を規制するとともに、接続部２３ａの一部が収容される収容溝１５ａを有する。
【００２２】
各収容溝１２ａ，１３ａ，１４ａ，１５ａは、支持部材１１の規制部材取り付け面１１ｂと直交する方向に延びるように形成されている。シリンジ２１のフランジ２１ａは外形が楕円状に形成され、フランジ下面規制部材１２及びフランジ上面規制部材１３はフランジ２１ａの全体を支承可能に、収容溝１２ａ，１３ａの長さが前記楕円の短軸の長さより長く形成されている。収容溝１２ａ，１３ａの幅はそれぞれシリンジ２１の外径、プランジャ２４の外径より若干大きく形成されている。収容溝１４ａの幅はフィルタ２２の出口ノズル２２ａの外径より若干大きく形成されている。収容溝１５ａの幅は接続部２３ａの外径より若干大きく形成されている。また、シリンジ２１の射出部２１ｂはシリンジ２１の中心位置ではなく偏心した位置に形成されている。
【００２３】
規制部材１２，１３，１４，１５及び支持部材１１の材質としては、強度面でステンレスなどの金属製が良いと考えられるが、金属製に限らず、プラスチック製や木製、セラミック製などでも良い。
【００２４】
次に前記のように構成されたシリンジ濾過作業用補助具１０の作用を説明する。
シリンジ濾過作業用補助具１０を使用する際は、図１（ｃ），（ｄ）に示すように、先端に２個のフィルタ２２，２３が取り付けられたシリンジ２１に、濾過すべき液体を収容した状態で、そのシリンジ２１をフランジ２１ａの下面がフランジ下面規制部材１２に係合し、フランジ２１ａの上面がフランジ上面規制部材１３に係合し、フィルタ２２の下面が下側規制部材１４に係合した状態で支持部材１１に支持させる。このとき、フィルタ２３は、その接続部２３ａの一部が接続部側面規制部材１５の収容溝１５ａに収容された状態になる。また、出口ノズル２２ａの下方に濾液を回収する容器２５が配置される。この状態で作業者の手作業によりプランジャ２４がシリンジ２１内に押し込まれると、液体がフィルタ２２，２３内に押し込まれ、液体は脂肪分がフィルタ２３で、固形物がフィルタ２２で濾過されて濾液が容器２５に回収される。
【００２５】
プランジャ２４をシリンジ２１内に押し込む際、フィルタ２３に対してシリンジ２１が傾いた状態でプランジャ２４を押し込むと、シリンジ２１とフィルタ２３との接続部２３ａが損傷する虞がある。特に使い捨てのシリンジ２１の場合はシリンジ２１がプラスチック製のため、接続部２３ａがより損傷し易い。また、この実施形態のようにシリンジ２１の射出部２１ｂが偏心した位置に形成されている場合は、中心位置に形成された場合に比べてフィルタ２３に対してシリンジ２１が傾いた状態となり易く、プランジャ２４を押し込む際に接続部２３ａが損傷し易い。
【００２６】
しかし、図２（ａ）に示すように、フランジ２１ａの下面がフランジ下面規制部材１２に係合し、フィルタ２２の下面が下側規制部材１４に係合した状態のため、フィルタ２３に対してシリンジ２１が傾いた状態でプランジャ２４を押し込むことが防止される。その結果、シリンジ２１が傾いた状態でシリンジ２１とフィルタ２３との接続部２３ａに過大な応力が掛かることが回避され、接続部２３ａが損傷するのを防止することができる。
【００２７】
また、プランジャ２４がシリンジ２１内に押し込まれると、液体がフィルタ２３，２２を順に通過して濾過される際に、フィルタ２２，２３における抵抗が大きくなり、シリンジ２１内及びフィルタ２２，２３内の圧力が上昇する。シリンジ２１内の圧力が上昇すると、フィルタ２２，２３に対してはフィルタ２２，２３を押し下げる力が作用し、フィルタ２２，２３内の圧力が上昇するとシリンジ２１に対してはシリンジ２１を押し上げる力が作用する。このとき、図２（ａ）に示すように、フィルタ２２は下面が下側規制部材１４に係合して下方への移動が規制され、シリンジ２１はフランジ２１ａの上面がフランジ上面規制部材１３に係合して上方への移動が規制される。したがって、シリンジ２１内及びフィルタ２２，２３内の圧力が上昇しても、シリンジ２１がフィルタ２３から外れることは防止される。
【００２８】
一方、特許文献１の場合は、図２（ｂ）に示すように、シリンジ５１の上側への移動を規制する部材が存在しないため、フィルタ５２内の圧力上昇が大きくなると、シリンジ５１が上側へ移動して、シリンジ５１がフィルタ５２から外れる場合がある。
【００２９】
シリンジ２１をシリンジ濾過作業用補助具１０に取り付ける際は、プランジャ２４が収容溝１３ａ、シリンジ２１のフランジ２１ａ近傍が収容溝１２ａ、出口ノズル２２ａが収容溝１４ａ、接続部２３ａが収容溝１５ａの各開口と対応する位置から、シリンジ２１を支持部材１１側に向かって移動させることにより、所定位置に配置される。そのため、特許文献１のようにシリンジを濾過装置の上方から保持棚の開口に挿入する構成と異なり、フィルタ２２，２３の外径がシリンジ２１の外径より大きくてもシリンジ濾過作業用補助具１０に取り付けることができる。
【００３０】
シリンジ２１やシリンジ２１に取り付けられるフィルタ２２，２３はそれぞれ１種類ではなく、シリンジ２１やフィルタ２２，２３によっては長さが異なるものがある。そのため、フランジ下面規制部材１２、フランジ上面規制部材１３及び下側規制部材１４がいずれも支持部材１１に位置調整不能に固定された構成では、長さの異なるシリンジ２１やフィルタ２２，２３に対応して支持部材１１を準備する必要がある。しかし、この実施形態では、長さの異なるシリンジ２１やフィルタ２２，２３を使用する場合、あるいは、複数のフィルタ２２，２３の組み合わせを変更する場合等には、フランジ下面規制部材１２、フランジ上面規制部材１３及び下側規制部材１４の少なくとも一つの支持部材１１に対する固定位置を調整することにより、対応することができる。規制部材の位置調整は、規制部材を支持部材１１に固定するためのねじ１７を弛めた状態でスリット１６に沿って所定位置まで規制部材を移動させた後、その位置でねじ１７を締め付けることにより、無段階で固定位置の調整を簡単に行うことができる。
【００３１】
この実施形態によれば、以下に示す効果を得ることができる。
（１）シリンジ濾過作業用補助具１０は、液体中に混入している異物を、先端に少なくとも１個のフィルタが取り付けられたシリンジ２１を用いて濾過する際に用いられ、支持部材１１と、支持部材１１に設けられたフランジ下面規制部材１２と、下側規制部材１４とを備えている。フランジ下面規制部材１２は、シリンジ２１のフランジ２１ａの下面と係合してその移動を規制するとともに、シリンジ２１の一部が収容される収容溝１２ａを有する。下側規制部材１４は、シリンジ２１に取り付けられたフィルタ２２の下面と係合してその移動を規制するとともに、フィルタ２２の出口ノズル２２ａの一部が収容される収容溝１４ａを有する。したがって、先端にフィルタ２２，２３を取り付けたシリンジ２１を用いて液体の濾過を行う際に、フィルタ２３に対してシリンジ２１が傾いた状態でプランジャ２４を押し込むことが防止され、その結果、シリンジ２１とフィルタ２３との接続部が損傷するのを防止することができる。また、フランジ下面規制部材１２がシリンジ２１に加わる下向きの力の一部を担うため、シリンジ２１とフィルタ２３との接続部に加わる応力を抑制することができる。また、特許文献１の濾過装置と異なり、フィルタ２２，２３の外径がシリンジ２１の外径より大きくても、フィルタ２２，２３が取り付けられたシリンジ２１をシリンジ濾過作業用補助具１０に支障なく取り付けることができる。
【００３２】
（２）支持部材１１には、フランジ２１ａの上面と係合してその移動を規制するとともに、シリンジ２１に挿入されているプランジャ２４の一部が収容される収容溝１３ａを有するフランジ上面規制部材１３が設けられている。したがって、先端にフィルタ２２，２３を取り付けたシリンジ２１を用いて液体の濾過を行う際に、シリンジ２１がフィルタ２３から外れることを防止することができる。
【００３３】
（３）フランジ下面規制部材１２、フランジ上面規制部材１３及び下側規制部材１４の少なくとも一つは、位置調整可能に支持部材１１に固定されている。したがって、長さの異なるシリンジ２１やフィルタ２２，２３を使用する場合、あるいは、複数のフィルタ２２，２３の組み合わせを変更する場合等には、フランジ下面規制部材１２、フランジ上面規制部材１３及び下側規制部材１４の少なくとも一つの支持部材１１に対する固定位置を調整することにより、対応することができる。
【００３４】
（４）各規制部材１２〜１５は、支持部材１１にその長手方向に沿って延びるように形成されたスリット１６を貫通するねじ１７を介して支持部材１１に固定されている。したがって、各規制部材１２〜１５は、無段階で固定位置の調整を簡単に行うことができる。
【００３５】
（５）支持部材１１は、シリンジ２１を支持する状態で自立可能な形状に形成されている。したがって、濾過作業を行なう際、作業者はシリンジ２１や支持部材１１等を支持せずに、プランジャ２４をシリンジ２１に押し込む作業をするだけで、液体中に混入している異物を濾過することができ、支持部材１１が自立可能でない場合に比べて濾過作業が簡単になる。
【００３６】
（６）フランジ上面規制部材１３はフランジ下面規制部材１２と一体に形成されている。フランジ下面規制部材１２とフランジ上面規制部材１３との間に配置されるフランジ２１ａの厚さは、一般にシリンジ２１の長さが変わっても同じため、フランジ上面規制部材１３をフランジ下面規制部材１２と独立して移動することが必要な場合は少なく、別体にする場合に比べて、支持部材１１への取り付け作業や位置調整の作業が簡単になる。
【００３７】
（７）支持部材１１には、シリンジ２１に取り付けられたフィルタ２３のシリンジ２１との接続部２３ａの側面と係合してその横方向への移動を規制する接続部側面規制部材１５が設けられている。液体の濾過時に作業者がプランジャ２４をシリンジ２１内に押し込む際、プランジャ２４を真っ直ぐ押し込まずに、シリンジ２１に斜めの力が作用するように押し込む場合もある。その際、接続部側面規制部材１５がフィルタ２３のシリンジ２１との接続部２３ａの側面に係合することにより、接続部２３ａが横方向へ移動するのが規制され接続部２３ａに無理な力が作用するのが抑制される。
【００３８】
（８）支持部材１１は下部１１ａが規制部材１２，１３，１４と平行に延びる状態に形成されている。したがって、支持部材１１がシリンジ２１を支持する状態で自立可能にする構成が簡単になる。
【００３９】
（９）各規制部材１２，１４，１５は側面Ｌ字状に形成されるとともに、ねじ１７により支持部材１１に固定されている。したがって、各規制部材１２，１４，１５を平板で形成して、その基端において接着剤や溶接で支持部材１１に固定する場合に比べて固定が簡単で強度が高くなる。
【００４０】
（１０）各規制部材１２〜１５の収容溝１２ａ〜１５ａは、支持部材１１の規制部材取り付け面１１ｂと直交する方向に延びるように形成されている。したがって、シリンジ２１をシリンジ濾過作業用補助具１０の所定位置に配置する際、シリンジ２１を支持部材１１の正面から真っ直ぐに移動させることにより簡単に所定位置に配置することができる。
【００４１】
（第２の実施形態）
次に、本発明を具体化した第２の実施形態を図３にしたがって説明する。この実施形態では、規制部材の支持部材１１に対する固定方法が前記実施形態と大きく異なっている。第１の実施形態と同一部分は同一符号を付して詳しい説明を省略する。なお、各規制部材の固定方法は同じため、一つの規制部材１８で代表して説明する。
【００４２】
図３（ａ），（ｂ）に示すように、支持部材１１は半円柱状に形成されている。規制部材１８は側面Ｌ字状に形成されるとともに、支持部材１１に対してＵボルト１９及びナット２０を介して固定されている。Ｕボルト１９は、支持部材１１の円弧面とほぼ同じ曲率の円弧部と、円弧部の両端から真っ直ぐに延びる直線部とを有し、直線部に雄ねじ１９ａが形成されている。規制部材１８には支持部材１１に対する取り付け面に両雄ねじ１９ａと同じ間隔で一対の孔が形成されている。そして、図３（ｂ）に示すように、規制部材１８は、両孔を貫通した雄ねじ１９ａに螺合したナット２０が締め付けられることにより、支持部材１１の所望の位置に固定されるようになっている。収容溝１８ａは、支持部材１１の規制部材取り付け面１１ｂと直交する方向に延びるように形成されている。
【００４３】
このシリンジ濾過作業用補助具１０で濾過作業を行う場合、作業者は支持部材１１を支持した状態で、プランジャ２４をシリンジ２１に押し込む作業を行う。
したがって、この第２の実施形態によれば、第１の実施形態の（１）〜（３），（６），（７），（９），（１０）と同様な効果に加えて、以下の効果を得ることができる。
【００４４】
（１１）規制部材１８は側面Ｌ字状に形成されるとともに、支持部材１１に対してＵボルト１９及びナット２０を介して固定されている。したがって、支持部材１１にスリットを形成せずに、無段階で規制部材１８の固定位置の調整を簡単に行うことができる。
【００４５】
実施形態は前記に限定されるものではなく、例えば、次のように具体化してもよい。
○  規制部材の固定位置を無段階で連続的に調整可能な構成に限らず、段階的に調整可能な構成としてもよい。例えば、図４（ａ），（ｂ）に示すように、平板状の支持部材１１に複数対の孔３１を使用予定のシリンジ２１やフィルタ２２，２３の長さに対応した間隔で形成する。規制部材１８には支持部材１１の規制部材取り付け面１１ｂと対向する面にフック３２を形成する。孔３１は、幅がフック３２の幅とほぼ同じで高さはフック３２を支障なく挿入可能に、フック３２の厚さより大きくかつ、挿入したフック３２が支持部材１１に引っ掛かる程度に低く形成されている。そして、孔３１に挿入されたフック３２と規制部材１８の背面とで支持部材１１を挟持することにより規制部材１８が支持部材１１に固定される。
【００４６】
○  規制部材の固定位置を段階的に調整可能な構成として、第１の実施形態の支持部材１１に、スリット１６に代えてねじ１７が挿通される孔を、位置調整を行う各規制部材用に複数対ずつ設けてもよい。
【００４７】
○  規制部材の固定位置を無段階で連続的に調整可能な構成は、第１及び第２の実施形態の構成に限らない。例えば、図５（ａ），（ｂ）に示すように、支持部材１１に一対のスリット１６を形成し、規制部材１８の取り付け面にねじ３３を突設し、スリット１６に挿通されたねじ３３に螺合されるナット２０により規制部材１８を締め付け固定してもよい。また、図６（ａ），（ｂ）に示すように、第２の実施形態における支持部材１１を四角柱状に形成し、Ｕボルト１９に代えて平面コ字状に形成されるとともに両端部に雄ねじが形成されたボルト３４を使用してもよい。
【００４８】
○  規制部材１８は、側面Ｌ字状に限らず、平板状であってもよい。例えば、図７（ａ），（ｂ）に示すように、支持部材１１を円柱状のボルトで構成し、平板状の規制部材１８を２個のナット３５により挟持して固定するようにしたり、図８（ａ）に示すように、支持部材１１を円柱状で構成し、平板状の規制部材１８を２個のホースバンド３６により挟持して固定するようにしたりしてもよい。これらの構成のシリンジ濾過作業用補助具１０は、支持部材１１を支持台に固定しない状態では自立不能なため、作業者は支持部材１１を持って濾過作業を行う。
【００４９】
○  規制部材１８の位置調整を行う構成として、規制部材１８の支持部材１１に対する固定位置を変更する構成に代えて、支持部材１１を伸縮可能にして規制部材１８を支持部材１１に固着した構成としてもよい。例えば、図８（ｂ）に示すように、伸縮調整部３７を備えた伸縮棒で支持部材１１を構成し、平板状の規制部材１８を支持部材１１に溶接等で固着する。伸縮調整部３７の数は位置調整が必要な規制部材１８に対応して設定する。伸縮調整部３７を回転することにより、支持部材１１の長さが変更され、規制部材１８の位置調整が行なわれる。
【００５０】
○  図８（ｃ）に示すように、規制部材１８を円筒部１８ｂの上端に平板状の規制部１８ｃが形成された構成とし、支持部材１１を規制部材１８が遊挿される円柱又は円筒で構成する。そして、円錐台筒状に形成されるとともに、内径が支持部材１１の外径に等しく、先端外径が円筒部１８ｂの上端内径より小さく、基端外径が円筒部１８ｂの下端外径より大きなストッパ３８を使用して、ストッパ３８を円筒部１８ｂの下部に嵌合することにより規制部材１８を支持部材１１の所望の位置に固定してもよい。また、図８（ｄ）に示すように、円筒部１８ｂに形成されたねじ孔に螺合するねじ３９により、規制部材１８を支持部材１１の所望の位置に固定するようにしてもよい。
【００５１】
○  フィルタ２２及びフィルタ２３は、フィルタ２２が上側に、フィルタ２３が下側に配置されるようにシリンジ２１に取り付けられてもよい。この場合、フィルタ２３の下面が下側規制部材１４に係合し、フィルタ２２の接続部が接続部側面規制部材１５と係合する。
【００５２】
○  シリンジ２１に取り付けられるフィルタは少なくとも１個であればよく、２個に限らず、１個としたり、３個以上としたりしてもよい。例えば、１個の固形物濾過用のフィルタ２２あるいは脱脂用のフィルタ２３のみをシリンジ２１に取り付けてもよい。また、他の不純物濾過用のフィルタと固形物濾過用のフィルタ２２あるいは脱脂用のフィルタ２３とを組み合わせてもよい。
【００５３】
○  作業者が手で保持した状態で使用するシリンジ濾過作業用補助具１０の構成としては、例えば、図９（ａ）に示すように、平板状に形成された支持部材１１に各規制部材１２，１３，１４，１５が固定された構成としてもよい。
【００５４】
○  シリンジ濾過作業用補助具１０がプランジャ２４をシリンジ２１に押し込む際にも自立状態に維持される構成は、支持部材１１の下部１１ａが各規制部材１２，１３，１４，１５と平行に延びる状態に形成された構成に限らない。例えば、図１０（ａ）に示すように、支持部材１１の下部１１ａを前側に屈曲した後、後側に屈曲した形状にしたり、図１０（ｂ）に示すように、支持部材１１の下部１１ａを後側に屈曲形成するとともに、下部１１ａを支持台４０に固定した構成としたりしてもよい。また、支持部材１１の下部１１ａを屈曲させずに支持台４０に固着した構成にしてもよい。
【００５５】
○  各規制部材１２，１３，１４，１５の収容溝１２ａ，１３ａ，１４ａ，１５ａは、支持部材１１と直交する方向に延びる形状に限らない。例えば、図９（ｂ）にフランジ上面規制部材１３を代表例として示すように、収容溝１２ａ，１３ａ，１４ａ，１５ａが円弧状に形成されて、シリンジ２１がシリンジ濾過作業用補助具１０に対してその側方から取り付けられる構成としてもよい。また、収容溝１２ａ，１３ａ，１４ａ，１５ａが斜めやＬ字状に延びるよう形成された構成としてもよい。
【００５６】
○  フランジ下面規制部材１２及び下側規制部材１４は必須であるが、フランジ上面規制部材１３及び接続部側面規制部材１５は省略してもよい。
○  フランジ上面規制部材１３を設けた場合は、シリンジ２１内からプランジャ２４を引き出す際の吸引力により、液体を、フィルタ２２等を通過させてシリンジ２１内に吸入することにより液体中の不純物を濾過する方法に適用してもよい。
【００５７】
○  シリンジ２１は、フランジ２１ａの外形を円形状にしたり、射出部２１ｂを偏心位置ではなく中心位置に形成したりしてもよい。
○  シリンジ濾過作業用補助具１０は１本のシリンジ２１を支持する構成に限らず、複数本のシリンジ２１を支持して複数本同時にあるいは１本ずつシリンジ２１内の液体をプランジャ２４でフィルタ２２，２３を経て容器２５へ押し出すようにしてもよい。
【００５８】
以下の技術的思想（発明）は前記実施形態から把握できる。
（１）請求項５に記載の発明において、前記支持部材は下部が前記規制部材と平行に延びる状態に形成されている。
【００５９】
（２）請求項１〜請求項５及び前記技術的思想（１）のいずれか１項に記載の発明において、前記規制部材は側面Ｌ字状に形成されるとともに、前記支持部材に固定される部分がねじにより支持部材に固定されている。
【符号の説明】
【００６０】
１０…シリンジ濾過作業用補助具、１１…支持部材、１２…フランジ下面規制部材、１３…フランジ上面規制部材、１４…下側規制部材、１８…規制部材、１２ａ，１３ａ，１４ａ，１５ａ，１８ａ…収容溝、１６…スリット、１７，３３，３９…ねじ、２１…シリンジ、２１ａ…フランジ、２２，２３…フィルタ、２２ａ…出口ノズル、２４…プランジャ。
【図１】
2012055874.tif 000003
【図２】
2012055874.tif 000004
【図３】
2012055874.tif 000005
【図４】
2012055874.tif 000006
【図５】
2012055874.tif 000007
【図６】
2012055874.tif 000008
【図７】
2012055874.tif 000009
【図８】
2012055874.tif 000010
【図９】
2012055874.tif 000011
【図１０】
2012055874.tif 000012
【図１１】
2012055874.tif 000013